【手続補正書】
【提出日】平成18年8月25日(2006.8.25)
【手続補正１】
【補正対象書類名】明細書
【補正対象項目名】特許請求の範囲
【補正方法】変更
【補正の内容】
【特許請求の範囲】
【請求項１】  第１流体が流通する複数本の第１チューブ（１１０）、前記第１チューブ（１１０）間に配設された波状の第１コルゲートフィン（１２０）、及び前記第１チューブ（１１０）の長手方向両端に配設されて前記複数本の第１チューブ（１１０）に連通する第１ヘッダタンク（１４０）を有する第１熱交換器（１００）と、
第２流体が流通するとともに、前記第１チューブ（１１０）と平行な方向に延びる複数本の第２チューブ（２１０）、前記第２チューブ（２１０）間に配設された波状の第２コルゲートフィン（２２０）、及び前記第２チューブ（２１０）の長手方向両端に配設されて前記複数本の第２チューブ（２１０）に連通する第２ヘッダタンク（２４０）を有する第２熱交換器（２００）と、
前記両チューブ（１１０、２１０）と平行に配設され、前記両熱交換器（１００、２００）を補強するサイドプレート（３００）とを備え、
前記両熱交換器（１００、２００）は、前記サイドプレート（３００）を介して一体化されており、
さらに、前記第２チューブ（２１０）の長手方向寸法（Ｌ2）は、前記第１チューブ（１１０）の長手方向寸法（Ｌ1）より小さいことを特徴とする複式熱交換器。
【請求項２】  第１流体が流通する複数本の第１チューブ（１１０）及び前記第１チューブ（１１０）間に配設された波状の第１コルゲートフィン（１２０）からなる第１コア部（１３０）、並びに前記第１チューブ（１１０）の長手方向両端に配設されて前記複数本の第１チューブ（１１０）に連通する第１ヘッダタンク（１４０）を有する第１熱交換器（１００）と、
第２流体が流通するとともに、前記第１チューブ（１１０）と平行な方向に延びる複数本の第２チューブ（２１０）及び前記第２チューブ（２１０）間に配設された波状の第２コルゲートフィン（２２０）からなる第２コア部（２３０）、並びに前記第２チューブ（２１０）の長手方向両端に配設されて前記複数本の第２チューブ（２１０）に連通する第２ヘッダタンク（２４０）を有する第２熱交換器（２００）とを備え、
前記両熱交換器（１００、２００）は、前記両ヘッダタンク（１４０、２４０）にて一体結合されており、
さらに、前記第２チューブ（２１０）の本数は、前記第１チューブ（１１０）の本数より少ないことを特徴とする複式熱交換器。
【請求項３】  前記第１コア部（１３０）の端部にて前記第１チューブ（１１０）と平行に配設され、前記第１コア部（１３０）を補強するサイドプレート（３００）と、
前記第２コア部（２３０）の端部から前記サイドプレート（３００）まで延びて、前記第２熱交換器（２００）を支持固定する補強プレート（３２０）とを備えることを特徴とする請求項２に記載の複式熱交換器。
【請求項４】  前記第２コア部（２３０）の端部にて前記第２チューブ（２１０）と平行に配設されて、前記第２コア部（２３０）を補強するサイドプレート（３３０）を備え、
前記サイドプレート（３３０）は、前記第１コア部（１３０）側まで延出して前記第１ヘッダタンク（１４０）に接合されていることを特徴とする請求項２に記載の複式熱交換器。
【請求項５】  前記第１コア部（１３０）の両端部にて前記第１チューブ（１１０）と平行に配設され、前記第１コア部（１３０）を補強するサイドプレート（３００）を備え、
前記第２ヘッダタンク（２４０）の長手方向両端側は、前記サイドプレート（３００）と結合していることを特徴とする請求項２に記載の複式熱交換器。
【請求項６】  前記第２ヘッダタンク（２４０）の長手方向寸法（ｈ4）は、前記第２コア部（２３０）のうち前記第２ヘッダタンク（２４０）の長手方向と平行な部位の寸法（ｈc2）より大きいことを特徴とする請求項２に記載の複式熱交換器。
【請求項７】  第１流体が流通する複数本の第１チューブ（１１０）及び前記第１チューブ（１１０）間に配設された波状の第１コルゲートフィン（１２０）からなる第１コア部（１３０）、並びに前記第１チューブ（１１０）の長手方向両端に配設されて前記複数本の第１チューブ（１１０）に連通する第１ヘッダタンク（１４０）を有する第１熱交換器（１００）と、
第２流体が流通するとともに、前記第１チューブ（１１０）と平行な方向に延びる複数本の第２チューブ（２１０）及び前記第２チューブ（２１０）間に配設された波状の第２コルゲートフィン（２２０）からなる第２コア部（２３０）、並びに前記第２チューブ（２１０）の長手方向両端に配設されて前記複数本の第２チューブ（２１０）に連通する第２ヘッダタンク（２４０）を有する第２熱交換器（２００）とを備え、
前記第１コルゲートフィン（１２０）のフィン高さ（ｈ1）と前記第２コルゲートフィン（２２０）のフィン高さ（ｈ2）が相違していることを特徴とする複式熱交換器。
【請求項８】  第１流体が流通する複数本の第１チューブ（１１０）及び前記第１チューブ（１１０）間に配設された波状の第１コルゲートフィン（１２０）からなる第１コア部（１３０）、並びに前記第１チューブ（１１０）の長手方向両端に配設されて前記第１チューブ（１１０）の長手方向と直交する方向に延びるとともに、前記複数本の第１チューブ（１１０）に連通する第１ヘッダタンク（１４０）を有する第１熱交換器（１００）と、
第２流体が流通するとともに、前記第１チューブ（１１０）と平行な方向に延びる複数本の第２チューブ（２１０）及び前記第２チューブ（２１０）間に配設された波状の第２コルゲートフィン（２２０）からなる第２コア部（２３０）、並びに前記第２チューブ（２１０）の長手方向両端に配設されて前記第２チューブ（２１０）の長手方向と直交する方向に延びるとともに、前記複数本の第２チューブ（２１０）に連通する第２ヘッダタンク（２４０）を有する第２熱交換器（２００）と、
前記両チューブ（１１０、２１０）と平行に配設され、前記コア部（１３０、２３０）の両端部にて両熱交換器（１００、２００）を補強するサイドプレート（３００）とを備え、
前記第１チューブ（１１０）の中心間距離（Ｐ1）と前記第２チューブ（２１０）の中心間距離（Ｐ2）とを等しくした状態で、前記第１コルゲートフィン（１２０）のフィン高さ（ｈ1）、前記第２コルゲートフィン（２２０）のフィン高さ（ｈ2）及び両チューブ（１１０、２１０）の短径方向寸法（Ｂ1、Ｂ2）が相違していることを特徴とする複式熱交換器。
【請求項９】  第１流体が流通する複数本の第１チューブ（１１０）及び前記第１チューブ（１１０）間に配設された波状の第１コルゲートフィン（１２０）からなる第１コア部（１３０）、前記第１チューブ（１１０）の長手方向両端に配設されて前記複数本の第１チューブ（１１０）に連通する第１ヘッダタンク（１４０）、並びに前記第１チューブ（１１０）と平行に配設されて前記第１コア部（１３０）の補強部材を構成する第１サイドプレート（１５０）を有する第１熱交換器（１００）と、
第２流体が流通するとともに、前記第１チューブ（１１０）と平行な方向に延びる複数本の第２チューブ（２１０）及び前記第２チューブ（２１０）間に配設された波状の第２コルゲートフィン（２２０）からなる第２コア部（２３０）、前記第２チューブ（２１０）の長手方向両端に配設されて前記複数本の第２チューブ（２１０）に連通する第２ヘッダタンク（２４０）、並びに前記第２チューブ（２１０）と平行に配設されて前記第２コア部（２３０）の補強部材を構成する第２サイドプレート（２５０）を有する第２熱交換器（２００）とを備え、
前記両サイドプレート（１５０、２５０）がろう付け接合されることにより、前記両熱交換器（１００、２００）が一体化されていることを特徴とする複式熱交換器。
【請求項１０】  前記両フィン（１１０、１２０）を部分的に結合するフィン結合部（Ｊ）が設けられていることを特徴とする請求項１ないし９のいずれか１つに記載の複式熱交換器。
【請求項１１】  前記第１熱交換器（１００）は、前記第２熱交換器（２００）より空気流れ下流側に位置するように空気流れに対して直列に配設され、前記両チューブ（１１０、２１０）は、空気の流通方向が長径方向となるように扁平状に形成されておりさらに、前記第２チューブ（２１０）の短径方向寸法（Ｂ1）は、前記第１チューブ（１１０）の短径方向寸法（Ｂ2）に比べて小さいことを特徴とする請求項１ないし１０のいずれか１つに記載の複式熱交換器。
【請求項１２】  前記両チューブ（１１０、２１０）の長径方向中心線（Ｌ1、Ｌ2）が、空気の流通方向から見て一致していることを特徴とする請求項１１に記載の複式熱交換器。
【請求項１３】  前記両チューブ（１１０、１２０）は、２０ｍｍ以下の距離を有して離隔していることを特徴とする請求項１２に記載の複式熱交換器。
【請求項１４】  前記第２チューブ（２１０）の短径方向寸法（Ｂ1）と、前記第１チューブ（１１０）の短径方向寸法（Ｂ2）との差は、１ｍｍ以下であることを特徴とする請求項１３に記載の複式熱交換器。
【請求項１５】  前記第１熱交換器（１００）は、内燃機関の冷却水を冷却するラジエータであり、
前記第２熱交換器（２００）は、冷凍サイクルの冷媒を冷却するコンデンサであることを特徴とする請求項１ないし１４のいずれか１つに記載の複式熱交換器。
【手続補正２】
【補正対象書類名】明細書
【補正対象項目名】００２４
【補正方法】変更
【補正の内容】
【００２４】
これに対して、請求項８に記載の発明では、第１チューブ（１１０）の中心間距離（Ｐ1）と第２チューブ（２１０）の中心間距離（Ｐ2）とを等しくした状態で、第１コルゲートフィン（１２０）のフィン高さ（ｈ1）、第２コルゲートフィン（２２０）のフィン高さ（ｈ2）及び両チューブ（１１０、２１０）の短径方向寸法（Ｂ1、Ｂ2）が相違していることを特徴としているので、第１コア部（１３０）のコア高さと第２コア部（２３０）のコア高さとの減少量が略等しくなる。